(57)【要約】【課題】従来、特定のＰＣ以外のＰＣを用いると、同一のウェブページに簡単にアクセスすることができない。【解決手段】ウェブページ登録支援装置１００は、ガイドページを送信させるガイドページ送信制御部４と、個体識別情報を登録支援情報保持部５に保持させる識別情報保持制御部６と、表示対象のウェブページをガイドページにリンクさせた後に送信させるウェブページ送信制御部１１と、表示対象のウェブページのタイトル及びアドレスを登録するか否かを問い合わせる登録支援部１４と、登録することが要求された場合、個体識別情報と表示対象のウェブページのタイトル及びアドレスとを関連付けてウェブページ情報保持部１５に保持させるウェブページ情報保持制御部１６と、個体識別情報に関連付けられているタイトルを送信させる登録ウェブページ情報送信制御部１７とを有する。【選択図】図２
2011028600.tif 000002
【特許請求の範囲】
【請求項１】
個体識別情報の入力欄と登録された情報を取得するための取得部とを有するウェブページであるガイドページの送信要求を受け付けるガイドページ送信要求受付部と、
前記ガイドページ送信要求受付部が前記ガイドページの送信要求を受け付けた場合、前記ガイドページを要求元に送信させるガイドページ送信制御部と、
前記ガイドページの前記入力欄に入力された個体識別情報を個体識別情報保持部に保持させる識別情報保持制御部と、
前記ガイドページが送信された後に、前記ガイドページ以外の表示対象のウェブページの送信要求を受け付けるウェブページ送信要求受付部と、
前記ウェブページ送信要求受付部が前記表示対象のウェブページの送信要求を受け付けた場合、前記表示対象のウェブページを取得するウェブページ取得部と、
前記ウェブページ取得部が取得した前記表示対象のウェブページを、前記ガイドページにリンクさせた後に前記要求元に送信させるウェブページ送信制御部と、
前記表示対象のウェブページが表示された後に、前記表示対象のウェブページのタイトル及びアドレスを登録するか否かを問い合わせる登録支援部と、
前記登録支援部による問い合わせに対して前記表示対象のウェブページのタイトル及びアドレスを登録することが要求された場合、前記ガイドページの前記入力欄に入力された個体識別情報と、前記表示対象のウェブページのタイトル及びアドレスとを関連付けてウェブページ情報保持部に保持させるウェブページ情報保持制御部と、
前記ガイドページの前記入力欄に個体識別情報が入力された状態で前記取得部が用いられて前記個体識別情報に関連付けられているタイトルの取得要求が行われた場合、前記ウェブページ情報保持部に保持されている、前記入力欄に入力された個体識別情報に関連付けられているタイトルを前記要求元に送信させる登録ウェブページ情報送信制御部と
を備えるウェブページ登録支援装置。
【請求項２】
更に、前記表示対象のウェブページに対する閲覧者の閲覧状況に関する情報を取得する閲覧状況情報取得部を備え、
前記登録支援部は、前記表示対象のウェブページのタイトル及びアドレスを登録するか否かを問い合わせる場合、前記閲覧状況情報取得部によって取得された情報を提示する
請求項１に記載のウェブページ登録支援装置。
【請求項３】
前記閲覧状況情報取得部は、前記表示対象のウェブページが表示されている時間を取得する表示時間取得部と、前記表示対象のウェブページが表示されているときに前記表示対象のウェブページを表示装置に表示させる端末装置に接続されている入力装置が使用された状況を特定する情報を取得する使用状況取得部とのいずれか一方又は両方である
請求項２に記載のウェブページ登録支援装置。
【請求項４】
更に、
検索装置に対して、検索キーワードに関連するウェブページを検索させるウェブページ検索制御部と、
前記検索装置によって得られた検索結果を取得して前記要求元に送信させる検索結果通信制御部とを備え、
前記ガイドページは、更に、検索キーワードの入力欄を有し、
前記ウェブページ検索制御部は、前記検索装置に対して、前記ガイドページの検索キーワードの入力欄に入力された検索キーワードに関連するウェブページを検索させる
請求項１に記載のウェブページ登録支援装置。
【請求項５】
個体識別情報の入力欄と登録された情報を取得するための取得部とを有するウェブページであるガイドページの送信要求を受け付ける機能と、
前記ガイドページの送信要求を受け付けた場合、前記ガイドページを要求元に送信させる機能と、
前記ガイドページの前記入力欄に入力された個体識別情報を個体識別情報保持部に保持させる機能と、
前記ガイドページが送信された後に、前記ガイドページ以外の表示対象のウェブページの送信要求を受け付ける機能と、
前記表示対象のウェブページの送信要求を受け付けた場合、前記表示対象のウェブページを取得する機能と、
取得した前記表示対象のウェブページを、前記ガイドページにリンクさせた後に前記要求元に送信させる機能と、
前記表示対象のウェブページが表示された後に、前記表示対象のウェブページのタイトル及びアドレスを登録するか否かを問い合わせる機能と、
前記表示対象のウェブページのタイトル及びアドレスを登録するか否かの問い合わせに対して前記表示対象のウェブページのタイトル及びアドレスを登録することが要求された場合、前記ガイドページの前記入力欄に入力された個体識別情報と、前記表示対象のウェブページのタイトル及びアドレスとを関連付けてウェブページ情報保持部に保持させる機能と、
前記ガイドページの前記入力欄に個体識別情報が入力された状態で前記取得部が用いられて前記個体識別情報に関連付けられているタイトルの取得要求が行われた場合、前記ウェブページ情報保持部に保持されている、前記入力欄に入力された個体識別情報に関連付けられているタイトルを前記要求元に送信させる機能と
をコンピュータに実現させるためのプログラム。
【発明の詳細な説明】
【技術分野】
【０００１】
本発明は、ウェブページのアドレスの登録を支援する技術に関する。
【背景技術】
【０００２】
近年、インターネットが広く普及し、多くの団体や個人がウェブページにより様々な情報を公開している。そして、多くの人がＰＣを用いてウェブページにアクセスし、様々な情報を取得している。それら多くの人は、特定のウェブページに繰り返しアクセスすることが多く、ＰＣのブラウザに設けられている機能を用いて、繰り返しアクセスするウェブページのタイトルとアドレスとを関連付けてＰＣに保存している。ユーザが保存したタイトルを選択すると、ＰＣは、選択されたタイトルに関連付けられているアドレスにアクセスする。これにより、ユーザは、選択したタイトルに関連付けられているウェブページに簡単に繰り返しアクセスすることができる。
【先行技術文献】
【特許文献】
【０００３】
【特許文献１】特開２００４−７０６７７号公報
【発明の概要】
【発明が解決しようとする課題】
【０００４】
ユーザは、通常は特定のＰＣを用いるが、特定のＰＣ以外のＰＣを用いてインターネットを利用することも多い。特定のＰＣ以外のＰＣには、ユーザが繰り返しアクセスするウェブページのタイトル及びアドレスが保存されていないことが多い。すなわち、特定のＰＣ以外のＰＣを用いる場合、ユーザが特定のＰＣを用いれば簡単に繰り返しアクセスすることができるウェブページに簡単にアクセスすることができないことが多い。ユーザは、通常用いる特定のＰＣ以外のＰＣを用いても、同一のウェブページに簡単にアクセスしたいと考える。
【０００５】
本発明は、特定のＰＣ以外のＰＣを用いても、同一のウェブページに簡単にアクセスすることを可能とするウェブページ登録支援装置を提供することを目的とする。
【課題を解決するための手段】
【０００６】
上記課題を解決し上記目的を達成するために、本発明のウェブページ登録支援装置は、個体識別情報の入力欄と登録された情報を取得するための取得部とを有するウェブページであるガイドページの送信要求を受け付けるガイドページ送信要求受付部と、前記ガイドページ送信要求受付部が前記ガイドページの送信要求を受け付けた場合、前記ガイドページを要求元に送信させるガイドページ送信制御部と、前記ガイドページの前記入力欄に入力された個体識別情報を個体識別情報保持部に保持させる識別情報保持制御部と、前記ガイドページが送信された後に、前記ガイドページ以外の表示対象のウェブページの送信要求を受け付けるウェブページ送信要求受付部と、前記ウェブページ送信要求受付部が前記表示対象のウェブページの送信要求を受け付けた場合、前記表示対象のウェブページを取得するウェブページ取得部と、前記ウェブページ取得部が取得した前記表示対象のウェブページを、前記ガイドページにリンクさせた後に前記要求元に送信させるウェブページ送信制御部と、前記表示対象のウェブページが表示された後に、前記表示対象のウェブページのタイトル及びアドレスを登録するか否かを問い合わせる登録支援部と、前記登録支援部による問い合わせに対して前記表示対象のウェブページのタイトル及びアドレスを登録することが要求された場合、前記ガイドページの前記入力欄に入力された個体識別情報と、前記表示対象のウェブページのタイトル及びアドレスとを関連付けてウェブページ情報保持部に保持させるウェブページ情報保持制御部と、前記ガイドページの前記入力欄に個体識別情報が入力された状態で前記取得部が用いられて前記個体識別情報に関連付けられているタイトルの取得要求が行われた場合、前記ウェブページ情報保持部に保持されている、前記入力欄に入力された個体識別情報に関連付けられているタイトルを前記要求元に送信させる登録ウェブページ情報送信制御部とを備える。
【０００７】
また、本発明のウェブページ登録支援装置の各構成要件の機能をコンピュータに実現させるためのプログラムも、本発明の一態様である。
【発明の効果】
【０００８】
本発明は、特定のＰＣ以外のＰＣを用いても、同一のウェブページに簡単にアクセスすることを可能とするウェブページ登録支援装置を提供することができる。
【図面の簡単な説明】
【０００９】
【図１】本実施の形態のウェブページアクセス支援システムの構成図である。
【図２】ウェブページ登録支援装置の構成図である。
【図３】ガイドページを示す図である。
【図４】本実施の形態のウェブページアクセス支援システムの動作の概要を説明するための図である。
【図５】ウェブページ登録支援装置が行う検索キーワードに関連するウェブページを提供する動作の各ステップを示すフローチャートである。
【図６】ウェブページ登録支援装置が行うウェブページのタイトル及びアドレスの登録を支援する動作の各ステップを示すフローチャートである。
【図７】ウェブページ登録支援装置が行う登録されたタイトルを提供する動作の各ステップを示すフローチャートである。
【図８】表示対象のウェブページがガイドページにリンクしている状態でクライアント端末装置に送信されることを示す図である。
【発明を実施するための形態】
【００１０】
以下に、本発明を実施するための形態を図面を参照して説明する。
【００１１】
先ず、本実施の形態のウェブページアクセス支援システムの構成を図１を用いて説明する。図１は、本実施の形態のウェブページアクセス支援システムの構成図である。本実施の形態のウェブページアクセス支援システムは、ウェブページへのアクセスを簡単に行わせるシステムであって、図１に示すように、ウェブページ登録支援装置１００と、クライアント端末装置２００と、検索装置３００と、通信ネットワーク４００とを有する。
【００１２】
ウェブページ登録支援装置１００は、ユーザが行うウェブページのタイトル及びアドレスの登録を支援する装置である。ウェブページ登録支援装置１００の構成の詳細は図２を用いて後述する。クライアント端末装置２００は、ユーザによって使用される装置であって、個体識別情報等の情報や指示を受け付ける。図１に示すように、クライアント端末装置２００には、入力装置２１０及び表示装置２２０が接続されている。入力装置２１０は、キーボードやマウスであって、ユーザは入力装置２１０を用いて情報や指示をクライアント端末装置２００に入力する。表示装置２２０は、ウェブページ等を表示する。
【００１３】
検索装置３００は、通信ネットワーク４００において開示されているウェブページのなかから、検索キーワードに関連するウェブページを検索する装置である。通信ネットワーク４００は、インターネット等のデータを通信するためのネットワークである。ウェブページ登録支援装置１００、クライアント端末装置２００、及び検索装置３００は、通信ネットワーク４００に接続されており、相互に通信可能である。
【００１４】
次に、ウェブページ登録支援装置１００の構成を図２を用いて説明する。図２は、ウェブページ登録支援装置１００の構成図である。ウェブページ登録支援装置１００は、上述したように、ユーザが行うウェブページのタイトル及びアドレスの登録を支援する装置である。
【００１５】
ウェブページ登録支援装置１００は、通信部１と、ガイドページ保持部２と、ガイドページ送信要求受付部３と、ガイドページ送信制御部４と、登録支援情報保持部５と、識別情報保持制御部６と、ウェブページ検索制御部７と、検索結果通信制御部８と、ウェブページ送信要求受付部９と、ウェブページ取得部１０と、ウェブページ送信制御部１１と、表示時間取得部１２と、使用状況取得部１３と、登録支援部１４と、ウェブページ情報保持部１５と、ウェブページ情報保持制御部１６と、登録ウェブページ情報送信制御部１７とを有する。
【００１６】
通信部１は、データを通信する。ガイドページ保持部２は、表示対象のウェブページのアドレスの登録の案内等を行うウェブページ（以下、「ガイドページ」という。）を保持する。ガイドページは、個体識別情報や検索キーワードの入力欄等を有している。ガイドページの詳細は、図３を用いて後述する。ガイドページ送信要求受付部３は、ガイドページの送信要求を受け付ける。
【００１７】
ガイドページ送信制御部４は、ガイドページ送信要求受付部３がガイドページの送信要求を受け付けると、ガイドページを要求元に送信させる。登録支援情報保持部５は、個体識別情報等を保持するための記憶部である。識別情報保持制御部６は、ガイドページの個体識別情報入力欄に入力された個体識別情報を登録支援情報保持部５に保持させる。ウェブページ検索制御部７は、検索装置３００に対して、通信ネットワーク４００において開示されているウェブページのなかから、ガイドページの検索キーワード入力欄に入力された検索キーワードに関連するウェブページを検索させる。
【００１８】
検索結果通信制御部８は、検索装置３００によって得られた検索結果を取得するとともに、取得した検索結果をクライアント端末装置２００へ送信させる。検索結果は、ウェブページのタイトル、概要、及びアドレスである。ウェブページ送信要求受付部９は、ガイドページが送信された後に、ガイドページ以外の表示対象のウェブページの送信要求を受け付ける。ウェブページ取得部１０は、ウェブページ送信要求受付部９が表示対象のウェブページの送信要求を受け付けると、表示対象のウェブページを取得する。
【００１９】
ウェブページ送信制御部１１は、表示対象のウェブページをガイドページにリンクさせた後に、ウェブページ取得部１０が取得した表示対象のウェブページをクライアント端末装置２００に送信させる。また、ウェブページ送信制御部１１は、表示対象のウェブページのタイトル及びアドレスを個体識別情報に関連付けて、登録支援情報保持部５に保持させる。表示時間取得部１２は、表示対象のウェブページが表示された時間を取得する。
【００２０】
使用状況取得部１３は、表示対象のウェブページが表示されているときに入力装置２１０が使用された状況を特定する情報を取得する。登録支援部１４は、表示対象のウェブページが表示された後に、表示時間取得部１２によって取得された時間と、使用状況取得部１３によって取得された情報とを提示するとともに、表示対象のウェブページのタイトル及びアドレスを登録するか否かを問い合わせる。ウェブページ情報保持部１５は、表示対象のウェブページのタイトル及びアドレスを保持するための記憶部である。
【００２１】
ウェブページ情報保持制御部１６は、登録支援部１４による問い合わせに対して表示対象のウェブページのタイトル及びアドレスを登録することが要求されると、ガイドページの入力欄に入力された個体識別情報と、表示対象のウェブページのタイトル及びアドレスとを関連付けてウェブページ情報保持部１５に保持させる。登録ウェブページ情報送信制御部１７は、ガイドページの入力欄に個体識別情報が入力された状態で後述するガイドページの登録情報取得ボタンが押されると、ウェブページ情報保持部１５に保持されている、入力欄に入力された個体識別情報に関連付けられている全部のタイトルをクライアント端末装置２００に送信させる。
【００２２】
次に、ガイドページ保持部２によって保持されるガイドページを図３を用いて説明する。図３は、ガイドページを示す図である。ガイドページは、上述したように、表示対象のウェブページのアドレスの登録の案内等を行うウェブページであって、図３に示すように、個体識別情報入力欄３１と、検索キーワード入力欄３２と、検索ボタン３３と、登録支援ボタン３４と、登録情報取得ボタン３５とを有する。
【００２３】
個体識別情報入力欄３１は、個体識別情報を入力するための欄であり、検索キーワード入力欄３２は、検索キーワードを入力するための欄である。検索ボタン３３は、検索キーワード入力欄３２に検索キーワードが入力されている状態で押されると、入力されている検索キーワードに関連するウェブページを検索させる指示（検索指示）を発行する。登録支援ボタン３４は、個体識別情報入力欄３１に個体識別情報が入力されている状態で押されると、入力されている個体識別情報に関連付けて保持されているウェブページのタイトル及びアドレスを登録するか否かを問い合わせる情報を送信させる要求（登録支援情報送信要求）を発行する。登録情報取得ボタン３５は、個体識別情報入力欄３１に個体識別情報が入力されている状態で押されると、入力されている個体識別情報に関連付けて保持されているウェブページのタイトルを送信させる要求（登録タイトル送信要求）を発行する。
【００２４】
次に、本実施の形態のウェブページアクセス支援システムの動作を説明する。図４は、本実施の形態のウェブページアクセス支援システムの動作の概要を説明するための図である。本実施の形態のウェブページアクセス支援システムの動作は、図４に示すように、検索キーワードに関連するウェブページを提供する動作（フェーズＦ１）と、ウェブページのタイトル及びアドレスの登録を支援する動作（フェーズＦ２）と、登録されたタイトルを提供する動作（フェーズＦ３）とに大別される。そのため以下では、本実施の形態のウェブページアクセス支援システムの動作をフェーズ毎に説明する。
【００２５】
（検索キーワードに関連するウェブページを提供する動作）
先ず、検索キーワードに関連するウェブページを提供する動作（フェーズＦ１）を図５を用いて説明する。図５は、ウェブページ登録支援装置１００が行う検索キーワードに関連するウェブページを提供する動作の各ステップを示すフローチャートである。
【００２６】
ユーザは、入力装置２１０を用いて、ウェブページ登録支援装置１００にアクセスする指示をクライアント端末装置２００に入力する。クライアント端末装置２００は、その指示にしたがって、通信ネットワーク４００を介してウェブページ登録支援装置１００にアクセスする。
【００２７】
ウェブページ登録支援装置１００では、ガイドページ送信要求受付部３が、クライアント端末装置２００に基づくガイドページの送信要求を受け付ける（Ｓ１）。そうすると、ガイドページ送信制御部４は、ガイドページ保持部２によって保持されているガイドページをクライアント端末装置２００に送信させる制御を通信部１に対して行う。通信部１は、その制御にしたがって、ガイドページ保持部２によって保持されているガイドページを、通信ネットワーク４００を介してクライアント端末装置２００に送信する（Ｓ２）。
【００２８】
クライアント端末装置２００は、ウェブページ登録支援装置１００からのガイドページを受信し、表示装置２２０に表示させる。ガイドページは、図３に示すように、個体識別情報入力欄３１と、検索キーワード入力欄３２と、検索ボタン３３とを有する。ユーザは、入力装置２１０を用いて、個体識別情報入力欄３１に個体識別情報を入力するとともに、検索キーワード入力欄３２に検索キーワードを入力し、検索ボタン３３を押す。
【００２９】
クライアント端末装置２００は、個体識別情報と、検索キーワードと、その検索キーワードに関連するウェブページを検索させる指示（検索指示）とを、通信ネットワーク４００を介してウェブページ登録支援装置１００に送信する。
【００３０】
ウェブページ登録支援装置１００では、通信部１が、個体識別情報と、検索キーワードと、検索指示とを受信する（Ｓ３）。識別情報保持制御部６は、通信部１によって受信された個体識別情報を登録支援情報保持部５に保持させる（Ｓ４）。ウェブページ検索制御部７は、通信ネットワーク４００において開示されているウェブページのなかから、通信部１によって受信された検索キーワードに関連するウェブページを検索させる制御を通信部１に対して行う（Ｓ５）。通信部１は、その制御にしたがって、クライアント端末装置２００から受信した検索キーワードと、その検索キーワードに関連するウェブページを検索させる指示を、通信ネットワーク４００を介して検索装置３００に送信する。
【００３１】
検索装置３００は、通信ネットワーク４００において開示されているウェブページのなかから、ウェブページ登録支援装置１００からの検索キーワードに関連するウェブページを検索する。そして、検索装置３００は、検索キーワードに関連するウェブページのタイトル、概要、及びアドレスを検索結果として、通信ネットワーク４００を介してウェブページ登録支援装置１００に送信する。
【００３２】
ウェブページ登録支援装置１００では、通信部１が、検索キーワードに関連するウェブページのタイトル、概要、及びアドレス（検索結果）を検索装置３００から受信する（Ｓ６）。検索結果通信制御部８は、検索装置３００からの検索結果をクライアント端末装置２００に送信させる制御を通信部１に対して行う。通信部１は、その制御にしたがって、検索装置３００から受信した検索結果を、通信ネットワーク４００を介してクライアント端末装置２００に送信する（Ｓ７）。
【００３３】
クライアント端末装置２００は、ユーザによって入力された検索キーワードに関連するウェブページのタイトル、概要、及びアドレスを受信し、表示装置２２０に表示させる。ユーザは、表示装置２２０によって表示された複数のウェブページのタイトル、概要、及びアドレスを見て、いずれかのウェブページを選択し、選択したウェブページを表示させるための指示（表示指示）を、入力装置２１０を用いてクライアント端末装置２００に入力する。クライアント端末装置２００は、入力された表示指示を受け付け、ユーザによって選択されたウェブページ（表示対象のウェブページ）を送信させる要求（ウェブページ送信要求）を、通信ネットワーク４００を介してウェブページ登録支援装置１００に送信する。
【００３４】
ウェブページ登録支援装置１００では、通信部１がクライアント端末装置２００からのウェブページ送信要求を受信し、ウェブページ送信要求受付部９が、ユーザによって選択された表示対象のウェブページの送信要求を受け付ける（Ｓ８）。ウェブページ取得部１０は、表示対象のウェブページを取得させる制御を通信部１に対して行う。通信部１は、その制御にしたがって、表示対象のウェブページのアドレスを利用して、表示対象のウェブページを受信し、ウェブページ取得部１０は、表示対象のウェブページを取得する（Ｓ９）。
【００３５】
ウェブページ送信制御部１１は、ウェブページ取得部１０が取得した表示対象のウェブページを、ガイドページにリンクさせた後に、クライアント端末装置２００に送信させる制御を通信部１に対して行う（Ｓ１０）。通信部１は、その制御にしたがって、リンク処理が行われた表示対象のウェブページを、通信ネットワーク４００を介してクライアント端末装置２００に送信する（Ｓ１０）。また、ウェブページ送信制御部１１は、表示対象のウェブページのタイトル及びアドレスを個体識別情報に関連付けて、登録支援情報保持部５に保持させる（Ｓ１１）。
【００３６】
クライアント端末装置２００は、ウェブページ登録支援装置１００からの表示対象のウェブページを受信し、表示装置２２０に表示させる。
【００３７】
これにより、検索キーワードに関連するウェブページを提供する動作（フェーズＦ１）は、終了する。
【００３８】
フェーズＦ１が終了した後、ウェブページ登録支援装置１００では、表示時間取得部１２が、表示対象のウェブページが表示装置２２０によって表示された時間（表示時間）を取得させる指示を通信部１に出力する。また、使用状況取得部１３が、表示対象のウェブページが表示されているときに入力装置２１０が使用された状況を特定する情報（使用状況）を取得させる指示を通信部１に出力する。通信部１は、それら指示にしたがって、表示時間と使用状況との送信要求（端末側状況送信要求）を、通信ネットワーク４００を介してクライアント端末装置２００に送信する。
【００３９】
クライアント端末装置２００は、端末側状況送信要求にしたがって、表示対象のウェブページの表示が終了した後に、表示時間と使用状況とを、通信ネットワーク４００を介してウェブページ登録支援装置１００に送信する。なお、表示対象のウェブページの表示の終了は、ユーザが入力装置２１０を用いてその旨をクライアント端末装置２００に入力することによって実現する。
【００４０】
ウェブページ登録支援装置１００では、通信部１が、表示対象のウェブページが表示された時間（表示時間）と、表示対象のウェブページが表示されているときに入力装置２１０が使用された状況を特定する情報（使用状況）とを受信する。表示時間取得部１２は、表示時間を取得し、表示対象のウェブページのタイトル及びアドレス並び個体識別情報に関連付けて、登録支援情報保持部５に保持させる。使用状況取得部１３は、使用状況を取得し、表示対象のウェブページのタイトル及びアドレス並び個体識別情報に関連付けて、登録支援情報保持部５に保持させる。
【００４１】
表示対象のウェブページが表示されているときに入力装置２１０が使用された状況には、例えば、マウスポインタが表示対象のウェブページのボタンの上を通過したこと、マウスが表示対象のウェブページ上の特定の領域で停留していた時間、マウスの動き、入力欄（テキストボックス）に入力された文字列等が含まれる。なお、上記の「マウスポインタが表示対象のウェブページのボタンの上を通過したこと」は、ボタンが押されたか否かは問われない。また、テキストボックスに入力された文字列は、送信されたか否かは問われない。表示時間取得部１２と使用状況取得部１３とは、検索結果として表示装置２２０に表示されたウェブページのタイトル等を見たユーザが表示対象として指定したウェブページ（表示対象のウェブページ）に、ユーザがどの程度、関心を持ったかという情報を得る閲覧状況情報取得部の一実施態様である。
【００４２】
（ウェブページのタイトル及びアドレスの登録を支援する動作）
次に、ウェブページのタイトル及びアドレスの登録を支援する動作（フェーズＦ２）を図６を用いて説明する。図６は、ウェブページ登録支援装置１００が行うウェブページのタイトル及びアドレスの登録を支援する動作の各ステップを示すフローチャートである。
【００４３】
ユーザは、フェーズＦ１と同様にして、入力装置２１０を用いて、ウェブページ登録支援装置１００にアクセスする指示をクライアント端末装置２００に入力する。これにより、クライアント端末装置２００は、ウェブページ登録支援装置１００からガイドページを受信し、表示装置２２０に表示させる。ガイドページは、図３に示すように、個体識別情報入力欄３１と、登録支援ボタン３４とを有する。ユーザは、入力装置２１０を用いて、個体識別情報入力欄３１に個体識別情報を入力するとともに、登録支援ボタン３４を押す。クライアント端末装置２００は、個体識別情報と、前回の表示対象のウェブページの登録を支援する情報の送信要求（登録支援情報送信要求）とを、通信ネットワーク４００を介してウェブページ登録支援装置１００に送信する。
【００４４】
ウェブページ登録支援装置１００では、通信部１が、個体識別情報と、登録支援情報送信要求とを受信する（Ｓ２１）。登録支援部１４は、受信された個体識別情報に関連付けられている、前回の表示対象のウェブページが表示された時間（表示時間）と、前回の表示対象のウェブページが表示されているときに入力装置２１０が使用された状況を特定する情報（使用状況）とを、登録支援情報保持部５から取得する。また、登録支援部１４は、受信された個体識別情報に関連付けられている、前回の表示対象のウェブページのタイトル及びアドレスを登録支援情報保持部５から取得する。
【００４５】
そして、登録支援部１４は、表示時間と使用状況とを提示するとともに、前回の表示対象のウェブページのタイトル及びアドレスを登録するか否かを問い合わせる指示を通信部１に出力する（Ｓ２２）。通信部１は、その指示にしたがって、前回の表示対象のウェブページのタイトル及びアドレスを登録するか否かを問い合わせる情報と、表示時間と、使用状況とを、通信ネットワーク４００を介してクライアント端末装置２００に送信する（Ｓ２２）。
【００４６】
クライアント端末装置２００は、前回の表示対象のウェブページのタイトル及びアドレスを登録するか否かを問い合わせる情報と、表示時間と、使用状況とを受信し、表示装置２２０に表示させる。ユーザは、表示装置２２０によって表示された情報を見て、前回の表示対象のウェブページのタイトル及びアドレスを登録するか否かを判断し、入力装置２１０を用いて、判断結果をクライアント端末装置２００に入力する。ユーザが表示対象のウェブページのタイトル及びアドレスを登録しないことを決定し、その旨をクライアント端末装置２００に入力すると、ウェブページのタイトル及びアドレスの登録を支援する動作（フェーズＦ２）は終了する。
【００４７】
それに対し、ユーザが前回の表示対象のウェブページのタイトル及びアドレスを登録することを決定し、その旨をクライアント端末装置２００に入力すると、クライアント端末装置２００は、前回の表示対象のウェブページのタイトル及びアドレスの登録の要求（登録要求）を、通信ネットワーク４００を介してウェブページ登録支援装置１００に送信する。
【００４８】
ウェブページ登録支援装置１００では、通信部１が、登録要求を受信し（Ｓ２３）、ウェブページ情報保持制御部１６が、ガイドページの個体識別情報入力欄に入力された個体識別情報と、前回の表示対象のウェブページのタイトル及びアドレスとを関連付けてウェブページ情報保持部１５に保持させる（Ｓ２４）。
【００４９】
これにより、ウェブページのタイトル及びアドレスの登録を支援する動作（フェーズＦ２）は終了する。
【００５０】
なお、ウェブページ情報保持制御部１６は、個体識別情報毎に、個体識別情報と、前回の表示対象のウェブページのタイトル及びアドレスとを関連付けてウェブページ情報保持部１５に保持させる。
【００５１】
（登録されたタイトルを提供する動作）
次に、登録されたタイトルを提供する動作（フェーズＦ３）を図７を用いて説明する。図７は、ウェブページ登録支援装置１００が行う登録されたタイトルを提供する動作の各ステップを示すフローチャートである。
【００５２】
ユーザは、フェーズＦ１及びフェーズＦ２と同様にして、入力装置２１０を用いて、ウェブページ登録支援装置１００にアクセスする指示をクライアント端末装置２００に入力する。これにより、クライアント端末装置２００は、ウェブページ登録支援装置１００からガイドページを受信し、表示装置２２０に表示させる。ガイドページは、図３に示すように、個体識別情報入力欄３１と、登録情報取得ボタン３５とを有する。ユーザは、入力装置２１０を用いて、個体識別情報入力欄３１に個体識別情報を入力するとともに、登録情報取得ボタン３５を押す。クライアント端末装置２００は、個体識別情報と、その個体識別情報に関連付けて保持されているウェブページのタイトルを送信させる要求（登録タイトル送信要求）とを、通信ネットワーク４００を介してウェブページ登録支援装置１００に送信する。
【００５３】
ウェブページ登録支援装置１００では、通信部１が、個体識別情報と登録タイトル送信要求とを受信し（Ｓ３１）、登録ウェブページ情報送信制御部１７は、ウェブページ情報保持部１５の中から、通信部１によって受信された個体識別情報に関連付けられているタイトルをクライアント端末装置２００に送信させる制御を通信部１に対して行う（Ｓ３２）。通信部１は、その制御にしたがって、ウェブページ情報保持部１５に保持されている、受信した個体識別情報に関連付けられているタイトルを、通信ネットワーク４００を介してクライアント端末装置２００に送信する。
【００５４】
クライアント端末装置２００は、ウェブページ登録支援装置１００からのウェブページのタイトルを受信し、表示装置２２０に表示させる。これにより、登録されたタイトルを提供する動作（フェーズＦ３）は終了する。ユーザは、入力装置２１０を用いて表示されたタイトルを選択すると、クライアント端末装置２００は、選択されたタイトルを有するウェブページを取得し、表示装置２２０に表示させる。これにより、ユーザは、クライアント端末装置２００以外の端末装置を用いても、同一のウェブページに簡単にアクセスすることが可能となる。
【００５５】
上述したように、本実施の形態では、ウェブページ登録支援装置１００は、ガイドページを送信した後に表示対象のウェブページを送信することが要求されると、表示対象のウェブページをガイドページにリンクさせた後にクライアント端末装置２００に送信する。すなわち、図８に示すように、表示対象のウェブページＹは、ガイドページＸにリンクした状態でクライアント端末装置２００に送信される。図８は、表示対象のウェブページＹがガイドページＸにリンクしている状態でクライアント端末装置２００に送信されることを示す図である。ここで、「表示対象のウェブページＹがガイドページＸにリンクしている」とは、例えば、表示対象のウェブページＹのアドレスが、ガイドページＸのアドレスの後ろに表示対象のウェブページＹの本来のアドレスが付加されたアドレスになることを意味する。
【００５６】
ウェブページ登録支援装置１００は、表示対象のウェブページをガイドページにリンクさせた後にクライアント端末装置２００に送信した後に、表示対象のウェブページのタイトル及びアドレスを登録するか否かをクライアント端末装置２００に問い合わせる。表示対象のウェブページのタイトル及びアドレスの登録が要求されると、ウェブページ登録支援装置１００は、ガイドページに入力された個体識別情報と、表示対象のウェブページのタイトル及びアドレスとを関連付けて保持する。そして、ウェブページ登録支援装置１００は、個体識別情報と登録タイトル送信要求とをクライアント端末装置２００から受信すると、受信した個体識別情報に関連付けられているウェブページのタイトルをクライアント端末装置２００に送信する。
【００５７】
このように、ウェブページ登録支援装置１００は、クライアント端末装置２００とは無関係に、同一のウェブページに簡単にアクセスすることを可能とするために、そのウェブページのタイトル及びアドレスの登録を支援する。これにより、ユーザは、特定の端末装置以外の端末装置を用いても、同一のウェブページに簡単にアクセスすることが可能となる。
【００５８】
また、ウェブページ登録支援装置１００は、表示対象のウェブページのタイトル及びアドレスを登録するか否かを問い合わせる際、表示対象のウェブページが表示された時間（表示時間）と、表示対象のウェブページが表示されているときに入力装置２１０が使用された状況を特定する情報（使用状況）とをクライアント端末装置２００に送信する。これにより、ユーザは、表示対象のウェブページを客観的に評価することができ、表示対象のウェブページのタイトル及びアドレスを登録すべきかどうかをより正確に判断することができる。
【００５９】
なお、上述した実施の形態では、ウェブページのタイトル及びアドレスの登録を支援する動作（フェーズＦ２）と、検索キーワードに関連するウェブページを提供する動作（フェーズＦ１）とは別個独立に行われる。しかしながら、フェーズＦ１とフェーズＦ２とは、連続して行われてもよい。いずれにしても、ウェブページ登録支援装置１００は、表示対象のウェブページが表示された後に、表示対象のウェブページのタイトル及びアドレスを登録するか否かを問い合わせる。
【符号の説明】
【００６０】
１００  ウェブページ登録支援装置、  ２００  クライアント端末装置、  ３００  検索装置、  ４００  通信ネットワーク、  １  通信部、  ２  ガイドページ保持部、  ３  ガイドページ送信要求受付部、４  ガイドページ送信制御部、  ５  登録支援情報保持部、  ６  識別情報保持制御部、  ７  ウェブページ検索制御部、  ８  検索結果通信制御部、  ９  ウェブページ送信要求受付部、  １０  ウェブページ取得部、  １１  ウェブページ送信制御部、  １２  表示時間取得部、  １３  使用状況取得部、  １４  登録支援部、  １５  ウェブページ情報保持部、  １６  ウェブページ情報保持制御部、  １７  登録ウェブページ情報送信制御部。
【図１】
2011028600.tif 000003
【図２】
2011028600.tif 000004
【図３】
2011028600.tif 000005
【図４】
2011028600.tif 000006
【図５】
2011028600.tif 000007
【図６】
2011028600.tif 000008
【図７】
2011028600.tif 000009
【図８】
2011028600.tif 000010